(57)【要約】  １組のシステム情報内の特定のブロックまたはエレメントに対する変更を示す情報をそれぞれのユーザに提供し、それにより、修正後の新しいシステム情報の獲得を簡略化およびアクセラレートできる。第１の例では、システム情報修正の際に、システム情報のどのブロックおよび／またはエレメントが修正において変更されたかを示すビットマップを発生させて送信し、それにより、関係するユーザが、変更されていないシステム情報の読み取りまたは処理を止めるのを可能にする。第２の例では、システム情報のそれぞれのブロックおよび／またはエレメントは、対応するブロックまたはエレメントが変更されているか否かを受信エンティティに対して示す内部値タグを含むことができ、それにより、ユーザは、さらなる処理を実行することなく、変更されていないブロックまたはエレメントを廃棄することが可能になる。【選択図】    図２
2011525783.tif 000002
【特許請求の範囲】
【請求項１】
方法において、
ワイヤレス通信環境に関係する１組のシステム情報を識別し、前記システム情報は、１つ以上のブロックを含んでいることと、
前記システム情報の修正に関連するそれぞれのインジケータを、システム情報のブロックまたはページングメッセージのうちの１つ以上で受信し、前記インジケータは、前記修正において変更されている１つ以上のブロックまたはブロックのグループを識別することと、
前記修正において変更されていないとして識別された少なくとも１つのブロックに対する読み取りまたは処理を省略するような選択的な方法で、前記それぞれのブロックの読み取りまたは処理のうちの少なくとも１つを実行することとを含む方法。
【請求項２】
前記受信することは、前記システム情報中の対応するブロックまたはブロックのグループが、前記修正において変更されているか否かを示すようにそれぞれ構成されている１つ以上のビットを含むビットマップを受信することを含み、
前記読み取りまたは処理のうちの少なくとも１つを実行することは、前記修正において変更されたとして前記ビットマップにより示されているそれぞれのブロックまたはブロックのグループを読み取ることと、前記修正において変更されていないとして前記ビットマップにより示されているそれぞれのブロックまたはブロックのグループの読み取りを止めることとを含む請求項１記載の方法。
【請求項３】
前記ビットマップ中のそれぞれのビットは、変更された情報を示すように第１の値にセットされるか、または、変更されていない情報を示すように第２の値にセットされる請求項２記載の方法。
【請求項４】
前記１つ以上のブロックは、１つ以上のシステム情報ブロック（ＳＩＢ）がその後に続くマスター情報ブロック（ＭＩＢ）を含み、
前記受信することは、前記ＭＩＢ内でまたは前記ＭＩＢに続く最初のＳＩＢ内で、前記ビットマップを受信することをさらに含む請求項２記載の方法。
【請求項５】
前記システム情報は、それぞれの組のブロックから成る１つ以上のシステム情報メッセージを含み、
前記受信することは、それぞれのシステム情報メッセージに対する変更、または、前記それぞれのシステム情報メッセージに対応する前記それぞれの組のブロックに対する変更を示すように構成されている１つ以上のビットを含む、ビットマップを受信することをさらに含む請求項２記載の方法。
【請求項６】
アイドルモードと接続モードとから成るグループから動作モードを選択することをさらに含み、前記システム情報は、前記アイドルモード中のまたは前記接続モード中のそれぞれのユーザに影響を及ぼすブロックの第１のグループと、前記アイドルモード中のそれぞれのユーザに影響を及ぼすブロックの第２のグループとを含む請求項２記載の方法。
【請求項７】
前記ビットマップは、ブロックの前記第１のグループ中の１つ以上のブロックが、前記修正において変更されているか否かを示す第１のビットを少なくとも含み、
前記読み取りまたは処理のうちの少なくとも１つを実行することは、前記接続モードを選択した際に、ブロックの前記第１のグループ中の１つ以上のブロックに対する変更を前記ビットマップが示しているという決定において、ブロックの前記第１のグループ中のそれぞれのブロックを読み取ることと、ブロックの前記第２のグループの読み取りを止めることとを含む請求項６記載の方法。
【請求項８】
前記ビットマップはさらに、ブロックの前記第２のグループ中の１つ以上のブロックが、前記修正において変更されているか否かを示す第２のビットを少なくとも含み、
前記読み取りまたは処理のうちの少なくとも１つを実行することは、前記アイドルモードを選択した際に、ブロックの前記第１のグループ中の１つ以上のブロックに対する変更を前記ビットマップが示しているという決定において、ブロックの前記第１のグループ中のそれぞれのブロックを読み取ることと、ブロックの前記第２のグループ中の１つ以上のブロックに対する変更を前記ビットマップが示しているという決定において、ブロックの前記第２のグループ中のそれぞれのブロックを読み取ることとを含む請求項７記載の方法。
【請求項９】
前記受信することは、ページング制御チャネル（ＰＣＣＨ）を通して、ページングメッセージ中で、前記ビットマップを受信することをさらに含む請求項２記載の方法。
【請求項１０】
前記受信することは、それぞれのブロックが前記修正において変更されているか否かを示すように構成されている、前記それぞれのブロック内の内部値タグを受信することを含み、
前記読み取りまたは処理のうちの少なくとも１つを実行することは、前記修正において変更されたとして、対応する内部値タグにより示されているそれぞれのブロックを記憶することと、前記修正において変更されていないとして、対応する内部値タグにより示されているそれぞれのブロックを廃棄することを含む請求項１記載の方法。
【請求項１１】
前記受信することは、前記システム情報中のすべてより少ないブロック内の内部値タグを受信することをさらに含み、
前記読み取りまたは処理のうちの少なくとも１つを実行することは、内部値タグを受信していないそれぞれのブロックを記憶することを含む請求項１０記載の方法。
【請求項１２】
ワイヤレス通信装置において、
システム情報が、１つ以上のブロックを含み、関係するワイヤレス通信ネットワークに対応するシステム情報に関連するデータを記憶するメモリと、
更新されている１つ以上のブロックを示す修正情報を、１つ以上のブロック中で、または、前記１つ以上のブロックに関係するページングメッセージ中で、識別するようにと、それぞれのブロックを選択的に読み取るまたは処理して、前記修正情報により更新されたとして識別されていない少なくとも１つのブロックに対する読み取りまた処理を何ら実行しないように構成されているプロセッサとを具備するワイヤレス通信装置。
【請求項１３】
前記修正情報はビットマップを含み、前記ビットマップは、対応するブロックまたはブロックのグループが更新されているか否かを示すようにそれぞれ構成されている１つ以上のビットを含み、
前記プロセッサは、更新されたとしてビットマップにより示されているそれぞれのブロックまたはブロックのグループを読み取るようにと、更新されたとしてビットマップにより示されていないそれぞれのブロックまたはブロックのグループの読み取りを省略するようにさらに構成されている請求項１２記載のワイヤレス通信装置。
【請求項１４】
前記ビットマップ中のそれぞれのビットは、更新された情報を示すように第１の値にセットされるか、または、更新されていない情報を示すように第２の値にセットされる請求項１３記載のワイヤレス通信装置。
【請求項１５】
前記１つ以上のブロックは、１つ以上のシステム情報ブロック（ＳＩＢ）がその後に続くマスター情報ブロック（ＭＩＢ）を含み、
前記プロセッサは、前記ＭＩＢ内でまたは前記ＭＩＢに続く最初のＳＩＢ内で、前記ビットマップを受信するようにさらに構成されている請求項１３記載のワイヤレス通信装置。
【請求項１６】
前記メモリはさらに、前記１つ以上のブロックのそれぞれの部分集合から成る１つ以上のシステム情報メッセージに関連するデータを記憶し、
前記ビットマップは、それぞれのシステム情報メッセージがまたは前記それぞれのシステム情報メッセージに対応するブロックの組が更新されているか否かを示すようにそれぞれ構成されている１つ以上のビットを含む請求項１３記載のワイヤレス通信装置。
【請求項１７】
前記メモリはさらに、アイドルモードまたは接続モードの間に、前記ワイヤレス通信装置に影響を及ぼす前記１つ以上のブロックの第１の部分集合に関連するデータと、前記アイドルモードの間に、前記ワイヤレス通信装置に影響を及ぼす前記１つ以上のブロックの第２の部分集合に関連するデータとを記憶し、
前記ビットマップは、ブロックの前記第１の部分集合中の１つ以上のブロックが更新されているか否かを示すように構成されている少なくとも第１のビットと、ブロックの前記第２の部分集合中の１つ以上のブロックが更新されているか否かを示すように構成されている少なくとも第２のビットとを含む請求項１３記載のワイヤレス通信装置。
【請求項１８】
前記修正情報は、それぞれのブロック内に含まれている内部値タグを含み、前記内部値タグは、前記内部値タグがそれぞれ含まれている前記ブロックが更新されているか否かを示すように構成され、
前記プロセッサは、更新されたとして対応する内部値タグにより示されているそれぞれのブロックを記憶するようにと、更新されたとして対応する内部値タグにより示されていないそれぞれのブロックを廃棄するようにさらに構成されている請求項１２記載のワイヤレス通信装置。
【請求項１９】
前記プロセッサは、前記１つ以上のブロックのすべてより少ない中の内部値タグを識別するようにと、内部値タグが識別されていないそれぞれのブロックを記憶するようにさらに構成されている請求項１８記載のワイヤレス通信装置。
【請求項２０】
ワイヤレス通信システム中で動作可能な装置において、
前記装置は、
１組のシステム情報ブロックを記憶する手段と、
後続する組の情報ブロックに関連する情報を検出する手段と、
検出される情報中に提供されている１つ以上のインジケータを、前記後続する組の情報ブロック中でまたはページングメッセージ中で受信し、前記１つ以上のインジケータは、情報ブロックのそれぞれの記憶しているバージョンから更新されているそれぞれの情報ブロックを特定する手段と、
前記受信したインジケータに基づいて、少なくとも１つの更新された情報ブロックを選択的に受信または処理する手段とを具備する装置。
【請求項２１】
前記受信する手段は、対応する情報ブロックまたは情報ブロックのグループが更新されているか否かを示すようにそれぞれ構成されている１つ以上のビットを含むビットマップを受信する手段を備え、
前記選択的に受信または処理する手段は、更新されたとして前記ビットマップにより示されている少なくとも１つの情報ブロックまたは情報ブロックのグループを受信する手段と、更新されたとして前記ビットマップにより示されていない少なくとも１つの情報ブロックまたは情報ブロックのグループを受信しないことを選ぶ手段とを備える請求項２０記載の装置。
【請求項２２】
前記１組のシステム情報ブロックは、１つ以上のシステム情報ブロック（ＳＩＢ）がその後に続くマスター情報ブロック（ＭＩＢ）を含み、
前記受信する手段は、前記ＭＩＢ内でまたは前記ＭＩＢに続く最初のＳＩＢ内で、前記ビットマップを受信する手段をさらに備える請求項２１記載の装置。
【請求項２３】
前記受信する手段は、ページング制御チャネル（ＰＣＣＨ）を使用して、ページングメッセージ中で前記ビットマップを受信する手段をさらに備える請求項２１記載の装置。
【請求項２４】
前記受信する手段は、前記後続する組の情報ブロック中で、それぞれの情報ブロック内の値タグを受信することを含み、前記値タグは、前記値タグが提供されている前記それぞれの情報ブロックが更新されているか否かを示すように構成され、
前記選択的に受信または処理する手段は、更新されたとして対応する値タグにより示されているそれぞれの情報ブロックを記憶する手段と、更新されたとして対応する値タグにより示されていないそれぞれの情報ブロックを廃棄する手段とを備える請求項２０記載の装置。
【請求項２５】
前記受信する手段は、前記後続する組の情報ブロック中のすべてより少ない情報ブロック内の値タグを受信することをさらに含み、
前記選択的に受信または処理する手段は、それに対する前記値タグを受信していないそれぞれの情報ブロックを記憶する手段を備える請求項２４記載の装置。
【請求項２６】
コンピュータ読取可能媒体を具備するコンピュータプログラムプロダクトにおいて、
前記コンピュータ読取可能媒体は、
システム情報が、１つ以上の情報ブロックを含み、担当ワイヤレス通信ネットワークに関係するシステム情報をコンピュータに識別させるためのコードと、
１つ以上の後続する情報ブロックに関連する情報をコンピュータに検出させるためのコードと、
システム情報修正において更新されているそれぞれの情報ブロックを識別するそれぞれのインジケータを、１つ以上の後続する情報ブロック中で、または、前記１つ以上の後続する情報ブロックに関係するページングメッセージ中で、コンピュータに受信させるためのコードと、
更新されたとして前記それぞれの受信したインジケータにより識別されていない少なくとも１つの後続する情報ブロックに対する読み取りまたは処理を何ら実行しないような選択的な方法で、後続する情報ブロックをコンピュータに読み取らせるまたは処理させるためのコードとを含むコンピュータプログラムプロダクト。
【請求項２７】
前記それぞれのインジケータをコンピュータに受信させるためのコードは、コンピュータにビットマップを受信させるためのコードを含み、前記ビットマップは、対応する後続する情報ブロックまたは後続する情報ブロックのグループが、前記システム情報修正において更新されているか否かを示すようにそれぞれ構成されている１つ以上のビットを含み、
前記後続する情報ブロックをコンピュータに読み取らせるまたは処理させるためのコードは、前記システム情報修正において更新されたとして前記ビットマップにより示されている、それぞれの後続する情報ブロックまたは後続する情報ブロックのグループをコンピュータに受信させるためのコードと、前記システム情報修正において更新されていないとして前記ビットマップにより示されている、それぞれの後続する情報ブロックまたは後続する情報ブロックのグループを受信しないことをコンピュータに選ばせるためのコードとを含む請求項２６記載のコンピュータプログラムプロダクト。
【請求項２８】
前記それぞれのインジケータをコンピュータに受信させるためのコードは、それぞれの後続する情報ブロック内の値タグをコンピュータに受信させるためのコードを含み、前記値タグは、前記値タグが提供されている前記それぞれの後続する情報ブロックが、前記システム情報修正において更新されているか否かを示すように構成され、
前記後続する情報ブロックをコンピュータに読み取らせるまたは処理させるためのコードは、更新されたとして対応する値タグにより示されているそれぞれの後続する情報ブロックをコンピュータに処理させるためのコードと、更新されたとして対応する値タグにより示されていないそれぞれの後続する情報ブロックをコンピュータに廃棄させるためのコードとを含む請求項２６記載のコンピュータプログラムプロダクト。
【請求項２９】
方法において、
システム情報を運ぶように構成されている１組のブロックを識別することと、
システム情報修正の間に変更されることになる１つ以上のブロックを識別することと、
前記システム情報修正の間に変更されることになるブロックに関連する情報を伝える１組のインジケータを発生させることと、
１つ以上のブロック内で、または、前記システム情報修正に関係するページングメッセージ内で、前記１組のインジケータを送信することとを含む方法。
【請求項３０】
前記発生させることは、
１つ以上のビットを含むビットマップを発生させることと、
前記システム情報修正の間に変更されることになるブロックを示すように、前記ビットマップのそれぞれのビットを構成することとを含む請求項２９記載の方法。
【請求項３１】
前記ピットマップを発生させることは、それぞれのブロックにまたはブロックのグループに対応する１つ以上のビットを含むビットマップを発生させることを含み、
前記構成することは、前記システム情報修正の間に変更されることになるブロックに対応する、前記ビットマップのそれぞれのビットを第１の値に構成することと、前記システム情報修正の間に変更されることにならないブロックに対応する、前記ビットマップのそれぞれのビットを第２の値に構成することとを含む請求項３０記載の方法。
【請求項３２】
前記１組のブロックを識別することは、１つ以上のシステム情報ブロック（ＳＩＢ）がその後に続くマスター情報ブロック（ＭＩＢ）を識別することを含み、
前記送信することは、前記ＭＩＢ内でまたは前記第ＭＩＢに続く最初のＳＩＢ内で、前記ビットマップを送信することを含む請求項３０記載の方法。
【請求項３３】
前記ビットマップを発生させることは、前記ビットマップを含むＭＩＢまたはＳＩＢに続くそれぞれのＳＩＢに対応する、１つ以上のビットを含むビットマップを発生させることを含む請求項３２記載の方法。
【請求項３４】
前記送信することは、ページング制御チャネル（ＰＣＣＨ）を通して、ページングメッセージ内で、前記ビットマップを送信することを含む請求項３０記載の方法。
【請求項３５】
前記１組のブロックを識別することは、それぞれのシステム情報メッセージに対応する、ブロックの組のそれぞれの部分集合を識別することと、
前記ビットマップを発生させることは、それぞれのシステム情報メッセージに対応する、または、前記それぞれのシステム情報メッセージに対応する前記ブロックの組の部分集合に対応する、１つ以上のビットを含むビットマップを発生させることを含む請求項３０記載の方法。
【請求項３６】
前記１組のブロックを識別することは、アイドルモード中または接続モード中のそれぞれのユーザに影響を及ぼすブロックの第１のグループを識別することと、アイドルモード中のそれぞれのユーザに影響を及ぼすブロックの第２のグループを識別することとを含み、
前記ビットマップを発生させることは、少なくとも第１のビットおよび第２のビットを含むビットマップを発生させることを含み、
前記構成することは、前記ブロックの第１のグループ中の１つ以上のブロックに対する変更を示すように、少なくとも、前記ビットマップの第１のビットを構成することと、前記ブロックの第２のグループ中の１つ以上のブロックに対する変更を示すように、少なくとも、前記ビットマップの第２のビットを構成することとを含む請求項３０記載の方法。
【請求項３７】
前記発生させることは、それぞれの内部値タグがその中に含まれているブロックが前記システム情報修正の間に変更されることになるか否かを示す、対応する内部値タグを含むように、前記１組のブロック中のそれぞれのブロックを構成することを含む請求項２９記載の方法。
【請求項３８】
前記システム情報修正を示す一般値タグを運ぶように、前記１組のブロック中の少なくとも１つの指定されているブロックを構成することをさらに含み、前記構成することは、前記一般値タグ以外の、その中で運ばれる情報が更新されることになる場合に、前記少なくとも１つの指定されているブロックが変更されていることを示すように、前記少なくとも１つの指定されているブロック中に含まれている内部値タグを構成することを含む請求項３７記載の方法。
【請求項３９】
ワイヤレス通信装置において、
１組の情報ブロックとシステム情報更新とに関連するデータを記憶するメモリと、
前記システム情報更新の間に変更されることになる少なくとも１つの情報ブロックを識別するようにと、前記システム情報更新の間に変更されることになる前記少なくとも１つの情報ブロックを示すシグナリングを発生させるようにと、前記発生させたシグナリングを、前記システム情報更新の間に１つ以上の情報ブロック内で、または、前記システム情報更新の前にページングメッセージ内で、通信するように構成されているプロセッサとを具備するワイヤレス通信装置。
【請求項４０】
前記プロセッサはさらに、情報ブロックにまたは情報ブロックのグループにそれぞれ対応する、１つ以上のビットを含むビットマップを発生させるようにと、前記システム情報更新の間に、それぞれ対応する情報ブロックまたは情報ブロックのグループが変更されることになるか否かを示すように、前記ビットマップのそれぞれのビットを構成するように構成されている請求項３９記載のワイヤレス通信装置。
【請求項４１】
前記プロセッサはさらに、それぞれの情報ブロック中に値タグを埋め込むように構成され、前記値タグは、前記それぞれの値タグがその中に埋め込まれている情報ブロックが前記システム情報更新の間に変更されることになるか否かを示すように構成されている請求項３９記載のワイヤレス通信装置。
【請求項４２】
ワイヤレス通信システム中で動作可能な装置において、
前記装置は、
それぞれの情報エレメントを含む１組のシステム情報を構成する手段と、
少なくとも１つの情報エレメントに対応するシステム情報を更新する手段と、
更新されたシステム情報を含むそれぞれの情報エレメントを示す情報を発生させる手段と、
前記発生させた情報を、１つ以上の情報エレメント内で、または、前記１つ以上の情報エレメントに関係するページングメッセージ内で、送信する手段とを具備する装置。
【請求項４３】
前記発生させる手段は、
それぞれの情報エレメントにまたは情報エレメントのグループに対応する１つ以上のビットを含むビットマップを発生させる手段と、
更新されたシステム情報を含むそれぞれの情報エレメントにまたは情報エレメントのグループに対応する、前記ビットマップのそれぞれのビットをセットすることにより、１つ以上の更新された情報エレメントを示す手段とを備える請求項４２記載の装置。
【請求項４４】
前記それぞれの情報エレメントは、その後に１つ以上のシステム情報ブロック（ＳＩＢ）が続くマスター情報ブロック（ＭＩＢ）を含み、
前記送信する手段は、前記ＭＩＢ内でまたは前記ＭＩＢに続く最初のＳＩＢ内で、前記ビットマップを送信する手段を備える請求項４３記載の装置。
【請求項４５】
前記送信する手段は、ページング制御チャネル（ＰＣＣＨ）を使用して、ページングメッセージ内で、前記ビットマップを送信する手段を備える請求項４３記載の装置。
【請求項４６】
前記発生させる手段は、
対応するタグを含むように、それぞれの情報エレメントを構成する手段と、
前記タグがその中に含まれている前記それぞれの情報エレメントに対する更新を示すように、それぞれの情報エレメント中に含まれているタグを構成する手段とを備える請求項４２記載の装置。
【請求項４７】
前記システム情報に対する更新を示す一般タグを含むように、少なくとも１つの情報エレメントを構成する手段をさらに備え、前記タグを構成する手段は、前記一般タグ以外の、一般タグを含む前記情報エレメント中で運ばれる情報に対する更新を示すように、前記一般タグを含む情報エレメント内のタグを構成する手段を備える請求項４６記載の装置。
【請求項４８】
コンピュータ読取可能媒体を具備するコンピュータプログラムプロダクトにおいて、
前記コンピュータ読取可能媒体は、
１組のブロックを、システム情報を運ぶように、コンピュータに構成させるためのコードと、
前記１組のブロック中の少なくとも１つのブロックの修正を、コンピュータに開始させるためのコードと、
修正が開始される前記少なくとも１つのブロックの１つ以上のインジケータを、コンピュータに発生させるためのコードと、
前記１組のブロック中の１つ以上のブロック内で、または、１組のブロックに関係するページングメッセージ内で、それぞれの発生させたインジケータを、コンピュータに送信させるためのコードとを含むコンピュータプログラムプロダクト。
【請求項４９】
前記１つ以上のインジケータをコンピュータに発生させるためのコードは、
ビットマップが、ブロックまたはブロックのグループにそれぞれ対応する１つ以上のビットを含み、コンピュータにビットマップを発生させるためのコードを含み、
コンピュータにより、修正が開始されるブロックまたはブロックのグループに対応する、前記ビットマップのそれぞれのビットを第１の値に構成させるためのコードと、
コンピュータにより、修正が開始されないブロックまたはブロックのグループに対応する、前記ビットマップのそれぞれのビットを第２の値に構成させるためのコードとを含む請求項４８記載のコンピュータプログラムプロダクト。
【請求項５０】
前記１つ以上のインジケータをコンピュータに発生させるためのコードは、
コンピュータにより、それぞれのブロック中に値タグを埋め込ませるためのコードと、
前記それぞれの値タグがその中に埋め込まれているブロックに対する修正が開始されるか否かを示すように、コンピュータにより、それぞれの埋め込まれている値タグを構成させるためのコードとを含む請求項４８記載のコンピュータプログラムプロダクト。
【発明の詳細な説明】
【相互参照】
【０００１】
本出願は、「ＬＴＥにおける、システム情報修正および値タグ管理に対する最適化」と題する、２００８年６月２３日に出願され、参照によりその全文がここに組み込まれている、米国仮出願シリアル番号第６１／０７４，８１７号の利益を主張する。
【背景】
【０００２】
１．分野
本開示は、一般的にワイヤレス通信に関し、さらに詳細には、ワイヤレス通信システムに関係する情報の修正を管理するための技術に関する。
【０００３】
２．背景
ワイヤレス通信システムは、幅広く展開され、さまざまな通信サービスを提供している。このようなワイヤレス通信システムを介して、例えば、音声、ビデオ、パケットデータ、ブロードキャスト、および、メッセージングサービスを提供することができる。これらのシステムは、利用可能なシステムリソースを共有することにより、複数の端末に対する通信をサポートすることが可能である多元接続システムとすることができる。このような多元接続システムの例には、コード分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムが含まれる。
【０００４】
一般的に、ワイヤレス多元接続通信システムは、複数のワイヤレス端末に対する通信を同時にサポートできる。このようなシステムにおいて、各端末は、フォワードリンク上およびリバースリンク上の送信を介して、１つ以上の基地局と通信することができる。フォワードリンク（またはダウンリンク）は、基地局から端末への通信リンクのことを指し、リバースリンク（またはアップリンク）は、端末から基地局への通信リンクのことを指す。単一入力単一出力（ＳＩＳＯ）システムや、複数入力単一出力（ＭＩＳＯ）システムや、または、複数入力複数出力（ＭＩＭＯ）システムを介して、この通信リンクを確立することができる。
【０００５】
いくつかの従来のワイヤレス通信インプリメンテーションでは、ワイヤレス通信ネットワークは、ネットワークに関係する１組のシステムパラメータまたは１組のシステム情報にしたがって、１組のユーザ機器ユニット（ＵＥ）との通信に携わることができる。ネットワークと通信しているＵＥが効率的にシステム情報を取得できるように、一連の情報ブロックおよび／または他のユニットとして、定期的な間隔において、ネットワークによりこのシステム情報を送信することができる。
【０００６】
システム情報の修正が望まれる場合には、ネットワークが、システム情報修正手順を経験することがあり、システム情報手順により、ネットワークと通信しているすべてのＵＥは、システム情報に対する、起ころうとしている修正について知らされる。しかしながら、従来のインプリメンテーションでは、ワイヤレス通信ネットワークは、変更されることになる情報に関連する何らかのさらなる情報を提供することなく、そのそれぞれが担当するＵＥに対して、システム情報の近く起こる変更の一般化されたインジケータのみを伝える。結果として、ネットワークと通信しているＵＥは、あるケースでは、所定の修正により影響を受けることになる情報であるかどうかにかかわらず、各修正ごとにすべてのシステム情報を再度獲得するように要求されることがある。このような要求は、次に、ＵＥならびに／あるいはネットワークの性能および電力効率の低下や、ＵＥインプリメンテーションの複雑さの増加や、ならびに／あるいは、それぞれのＵＥへのおよび／または関係するネットワークへの他の負の効果を生じさせることがある。したがって、少なくとも上記の欠点を軽減させる、ワイヤレス通信ネットワークに関係するシステム情報の修正を、管理するための技術を実現することが望ましいだろう。
【概要】
【０００７】
以下では、クレームされている主題事項のさまざまな側面の基本的な理解を提供するために、このような側面の簡略化した概要を提示する。この概要は、すべての考えられる側面の広範囲にわたる概略ではなく、キーエレメントまたは重要なエレメントを識別すること、もしくは、このような側面の範囲を詳細に述べることのどちらも意図していない。その唯一の目的は、後に提示するさらに詳細な説明に対する前置きとして、開示する側面のうちのいくつかの概念を、簡略化した形態で提示することである。
【０００８】
側面にしたがって、ここでは方法を説明する。方法は、ワイヤレス通信環境に関係する１組のシステム情報を識別し、システム情報は、１つ以上のブロックを含んでいることと、システム情報の修正に関連するそれぞれのインジケータを、システム情報のブロックまたはページングメッセージのうちの１つ以上で受信し、インジケータは、修正において変更されている１つ以上のブロックまたはブロックのグループを識別することと、修正において変更されていないとして識別された少なくとも１つのブロックに対する読み取りまたは処理を省略するような選択的な方法で、それぞれのブロックの読み取りまたは処理のうちの少なくとも１つを実行することとを含むことができる。
【０００９】
第２の側面は、ワイヤレス通信装置に関連し、ワイヤレス通信装置は、関係するワイヤレス通信ネットワークに対応するシステム情報に関連するデータを記憶するメモリを備えることができ、システム情報は、１つ以上のブロックを含んでいる。更新されている１つ以上のブロックを示す修正情報を、１つ以上のブロック中で、または、１つ以上のブロックに関係するページングメッセージ中で、識別するようにと、それぞれのブロックを選択的に読み取るまたは処理して、これにより、修正情報により更新されたとして識別されていない少なくとも１つのブロックに対する読み取りまた処理を何ら実行しないように構成されているプロセッサをさらに備えることができる。
【００１０】
ここで説明する第３の側面は、ワイヤレス通信システム中で動作可能な装置に関連する。装置は、１組のシステム情報ブロックを記憶する手段と、後続する組の情報ブロックに関連する情報を検出する手段と、検出される情報中に提供されている１つ以上のインジケータを、後続する組の情報ブロックでまたはページングメッセージで受信し、１つ以上のインジケータは、情報ブロックのそれぞれの記憶しているバージョンから更新されているそれぞれの情報ブロックを特定する手段と、受信したインジケータに基づいて、少なくとも１つの更新された情報ブロックを選択的に受信または処理する手段とを備えることができる。
【００１１】
ここで説明する第４の側面は、コンピュータプログラムプロダクトに関連し、コンピュータプログラムプロダクトは、コンピュータ読取可能媒体を備えることができ、コンピュータ読取可能媒体は、システム情報が、１つ以上の情報ブロックを含み、担当ワイヤレス通信ネットワークに関係するシステム情報をコンピュータに識別させるためのコードと、１つ以上の後続する情報ブロックに関連する情報をコンピュータに検出させるためのコードと、システム情報修正において更新されているそれぞれの情報ブロックを識別するそれぞれのインジケータを、１つ以上の後続する情報ブロック中で、または、１つ以上の後続する情報ブロックに関係するページングメッセージ中で、コンピュータに受信させるためのコードと、更新されたとしてそれぞれの受信したインジケータにより識別されていない少なくとも１つの後続する情報ブロックに対する読み取りまたは処理を何ら実行しないような選択的な方法で、後続する情報ブロックをコンピュータに読み取らせるまたは処理させるためのコードとを含む。
【００１２】
第５の側面にしたがって、ここでは、ワイヤレス通信環境中で利用できる方法を説明する。方法は、システム情報を運ぶように構成されている１組のブロックを識別することと、システム情報修正の間に変更されることになる１つ以上のブロックを識別することと、システム情報修正の間に変更されることになるブロックに関連する情報を伝える１組のインジケータを発生させることと、１つ以上のブロック内で、または、システム情報修正に関係するページングメッセージ内で、１組のインジケータを送信することとを含むことができる。
【００１３】
第６の側面は、ワイヤレス通信装置に関連し、ワイヤレス通信装置は、１組のシステム情報ブロックとシステム情報更新とに関連するデータを記憶するメモリを備えることができる。ワイヤレス通信装置はさらに、システム情報更新の間に変更されることになる少なくとも１つの情報ブロックを識別するようにと、システム情報更新の間に変更されることになる少なくとも１つの情報ブロックを示すシグナリングを発生させるようにと、発生させたシグナリングを、システム情報更新の間に１つ以上の情報ブロック内で、または、システム情報更新の前にページングメッセージ内で、通信するように構成されているプロセッサを備えることができる。
【００１４】
ここで説明する第７の側面は、ワイヤレス通信システム中で動作可能な装置に関連する。装置は、それぞれの情報エレメントを含む１組のシステム情報を構成する手段と、少なくとも１つの情報エレメントに対応するシステム情報を更新する手段と、更新されたシステム情報を含むそれぞれの情報エレメントを示す情報を発生させる手段と、発生させた情報を、１つ以上の情報エレメント内で、または、１つ以上の情報エレメントに関係するページングメッセージ内で、送信する手段とを備えることができる。
【００１５】
ここで説明する第８の側面は、コンピュータプログラムプロダクトに関連し、コンピュータプログラムプロダクトは、コンピュータ読取可能媒体を備えることができ、コンピュータ読取可能媒体は、１組のブロックを、システム情報を運ぶように、コンピュータに構成させるためのコードと、１組のブロック中の少なくとも１つのブロックの修正を、コンピュータに開始させるためのコードと、修正が開始される少なくとも１つのブロックの１つ以上のインジケータを、コンピュータに発生させるためのコードと、１組のブロック中の１つ以上のブロック内で、または、１組のブロックに関係するページングメッセージ内で、それぞれの発生させたインジケータを、コンピュータに送信させるためのコードとを含む。
【００１６】
先の目的および関連する目的を達成するために、クレームされている主題事項のうちの１つ以上の側面は、下記で完全に説明する特徴、および、特許請求の範囲中で特に指摘する特徴を含んでいる。以下の説明および添付図面により、クレームされている主題事項のある例示的な側面を詳細に述べる。しかしながら、これらの側面は、クレームされている主題事項の原理を用いることができるさまざまな方法のうちのほんのわずかに過ぎない。さらに、開示する側面は、このようなすべての側面およびそれらの均等物を含むことを意図している。
【図面の簡単な説明】
【００１７】
【図１】図１は、さまざまな側面にしたがった、ワイヤレス通信環境における、システム情報修正のおよび／または関連する値タグの最適化された管理を促進するシステムのブロックダイヤグラムである。
【図２】図２は、さまざまな側面にしたがった、システム情報のそれぞれの修正に対応するビットマップを発生させて処理するためのシステムのブロックダイヤグラムである。
【図３】図３は、さまざまな側面にしたがった、１つ以上のシステムパラメータの変更に関係して提供されるビットマップの例示的な処理を示している。
【図４】図４は、さまざまな側面にしたがった、システム情報のそれぞれの部分の現在の状態を示すそれぞれの値タグを発生させて処理するためのシステムのブロックダイヤグラムである。
【図５】図５は、さまざまな側面にしたがった、それぞれの内部値タグに基づいての１つ以上のシステムパラメータの例示的な処理を示している。
【図６】図６は、ワイヤレス通信環境において、システム情報修正に関係する情報の受信および処理を調整するためのそれぞれの方法のフローダイヤグラムである。
【図７】図７は、ワイヤレス通信環境において、システム情報修正に関係する情報の受信および処理を調整するためのそれぞれの方法のフローダイヤグラムである。
【図８】図８は、ワイヤレス通信環境において、システム情報修正に関係する情報の受信および処理を調整するためのそれぞれの方法のフローダイヤグラムである。
【図９】図９は、ワイヤレス通信環境におけるシステム情報修正を管理するためのそれぞれの方法のフローダイヤグラムである。
【図１０】図１０は、ワイヤレス通信環境におけるシステム情報修正を管理するためのそれぞれの方法のフローダイヤグラムである。
【図１１】図１１は、ワイヤレス通信環境におけるシステム情報修正を管理するためのそれぞれの方法のフローダイヤグラムである。
【図１２】図１２は、ワイヤレス通信システムに関係する情報に対する更新の調整および管理を促進するそれぞれの装置のブロックダイヤグラムである。
【図１３】図１３は、ワイヤレス通信システムに関係する情報に対する更新の調整および管理を促進するそれぞれの装置のブロックダイヤグラムである。
【図１４】図１４は、ここで説明する機能性のさまざまな側面を実現するために利用することができるそれぞれのワイヤレス通信デバイスのブロックダイヤグラムである。
【図１５】図１５は、ここで説明する機能性のさまざまな側面を実現するために利用することができるそれぞれのワイヤレス通信デバイスのブロックダイヤグラムである。
【図１６】図１６は、ここで述べるさまざまな側面にしたがった、ワイヤレス多元接続通信システムを示している。
【図１７】図１７は、ここで説明するさまざまな側面がその中で機能することができる、例示的なワイヤレス通信システムを示しているブロックダイヤグラムである。
【詳細な説明】
【００１８】
図面を参照して、ここで、クレームされている主題事項のさまざまな側面を説明し、ここで、同一の参照番号は、全体を通して、同一のエレメントを指すように使用されている。以下の説明では、説明する目的のために、１つ以上の側面の完全な理解を提供するために、多くの特定の詳細を述べている。しかしながら、これらの特定の詳細がなくても、このような側面を実施できることは明白である。他の例では、１つ以上の側面の説明を促進するために、よく知られている構造およびデバイスを、ブロックダイヤグラムの形態で示している。
【００１９】
本出願で使用するように、用語「コンポーネント」、「モジュール」、「システム」、および、これらに類するものは、ハードウェアや、ファームウェアや、ハードウェアとソフトウェアとの組み合わせや、ソフトウェアや、または、実行中のソフトウェアのいずれかである、コンピュータ関連エンティティを指すことを意図している。例えば、コンポーネントは、これらには限定されないが、プロセッサ上で動作しているプロセス、集積回路、オブジェクト、実行ファイル、実行スレッド、プログラム、および／または、コンピュータであってもよい。実例として、コンピューティングデバイス上で動作しているアプリケーションとコンピューティングデバイスとの双方をコンポーネントとすることができる。１つ以上のコンポーネントは、実行のプロセスおよび／またはスレッド内に存在していてもよく、コンポーネントは、１つのコンピュータ上に局所化されていてもよく、および／または、２つ以上のコンピュータ間に分散されていてもよい。加えて、これらのコンポーネントは、その上にさまざまなデータ構造を記憶させているさまざまなコンピュータ読取可能媒体から実行することができる。コンポーネントは、１つ以上のデータパケット（例えば、ローカルシステム中の、分散システム中の別のコンポーネントと対話する、および／または、インターネットのようなネットワークを通して、信号によって他のシステムと対話する、１つのコンポーネントからのデータ）を有する信号にしたがうような、ローカルおよび／または遠隔のプロセスによって通信することができる。
【００２０】
さらに、ワイヤレス端末および／または基地局に関連して、さまざまな側面をここで説明する。ワイヤレス端末は、音声および／またはデータ接続性をユーザに提供するデバイスを指すことができる。ワイヤレス端末は、ラップトップコンピュータまたはデスクトップコンピュータのようなコンピューティングデバイスに接続することができ、あるいは、パーソナルデジタルアシスタント（ＰＤＡ）のような自立型デバイスとすることができる。ワイヤレス端末はまた、システムや、加入者ユニットや、加入者局や、移動局や、移動体や、遠隔局や、アクセスポイントや、遠隔端末や、アクセス端末や、ユーザ端末や、ユーザエージェントや、ユーザデバイスや、または、ユーザ機器（ＵＥ）と呼ぶことができる。ワイヤレス端末は、加入者局や、ワイヤレスデバイスや、セルラ電話機や、ＰＣＳ電話機や、コードレス電話機や、セッション開始プロトコル（ＳＩＰ）電話機や、ワイヤレスローカルループ（ＷＬＬ）局や、パーソナルデジタルアシスタント（ＰＤＡ）や、ワイヤレス接続能力を有するハンドヘルドデバイスや、または、ワイヤレスモデムに接続されている他の処理デバイスとすることができる。基地局（例えば、アクセスポイントまたは進化ノードＢ（ｅＮＢ））は、エアインターフェースにわたって、１つ以上のセクターを通して、ワイヤレス端末と通信する、アクセスネットワーク中のデバイスを指すことができる。基地局は、受信したエアインターフェースフレームをＩＰパケットに変換することにより、ワイヤレス端末と、アクセスネットワークの残りのものとの間のルータとして機能することができ、アクセスネットワークは、インターネットプロトコル（ＩＰ）ネットワークを含むことができる。基地局はまた、エアインターフェースに対する属性の管理を調整する。
【００２１】
さらに、ここで説明するさまざまな機能は、ハードウェアで、ソフトウェアで、ファームウェアで、または、これらのものを組み合わせた任意のもので実現してもよい。ソフトウェアで実現した場合、機能は、１つ以上の命令またはコードとして、コンピュータ読取可能媒体上に記憶してもよく、あるいは、１つ以上の命令またはコードとして、コンピュータ読取可能媒体上に送信してもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、および、マイクロ波のような、ワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のような、ワイヤレス技術は、媒体の定義に含まれる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスク（ＢＤ）を含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００２２】
ここで説明するさまざまな技術は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル搬送波ＦＤＭＡ（ＳＣ−ＦＤＭＡ）システム、および、このような他のシステムのような、さまざまなワイヤレス通信システムに対して使用することができる。用語「システム」および「ネットワーク」は、ここでは、互換性があるように使用することが多い。ＣＤＭＡシステムは、ユニバーサル地上無線アクセス（ＵＴＲＡ）や、ＣＤＭＡ２０００等のような、無線技術を実現することができる。ＵＴＲＡには、ワイドバンドＣＤＭＡ（Ｗ−ＣＤＭＡ）や、ＣＤＭＡの他の変形が含まれる。さらに、ＣＤＭＡ２０００は、ＩＳ−２０００標準規格、ＩＳ−９５標準規格、および、ＩＳ−８５６標準規格をカバーしている。ＴＤＭＡシステムは、グローバルシステムフォーモバイルコミュニケーション（ＧＳＭ（登録商標））のような無線技術を実現することができる。ＯＦＤＭＡシステムは、進化ＵＴＲＡ（Ｅ−ＵＴＲＡ）や、ウルトラモバイルブロードバンド（ＵＭＢ）や、ＩＥＥＥ８０２．１１（ＷｉＦｉ（登録商標））や、ＩＥＥＥ８０２．１６（ＷｉＭＡＸ）や、ＩＥＥＥ８０２．２０や、フラッシュＯＦＤＭ（登録商標）等のような、無線技術を実現することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、まもなくリリースされるものであり、Ｅ−ＵＴＲＡを使用し、ダウンリンク上でＯＦＤＭＡを用い、アップリンク上でＳＣ−ＦＤＭＡを用いる。ＵＴＲＡと、Ｅ−ＵＴＲＡと、ＵＭＴＳと、ＬＴＥと、ＧＳＭとは、「第３世代パートナーシッププロジェクト」（３ＧＰＰ）という名の組織による文書中に記述されている。さらに、ＣＤＭＡ２０００およびＵＭＢは、「第３世代パートナーシッププロジェクト２」（３ＧＰＰ２）という名の組織による文書中に記述されている。
【００２３】
多数のデバイス、コンポーネント、モジュール、および、これらに類するものを含むことができるシステムの観点から、さまざまな側面を提示するだろう。さまざまなシステムは、付加的なデバイス、コンポーネント、モジュール等を含むことがあり、および／または、図面に関連して論じる、デバイス、コンポーネント、モジュール等のすべてを含まないことがあることを理解し、正しく認識すべきである。これらのアプローチの組み合わせもまた、使用することができる。
【００２４】
ここで図を参照すると、図１は、ここで説明するさまざまな側面にしたがった、ワイヤレス通信環境における、システム情報修正のおよび／または関連する値タグの最適化された管理を促進するシステム１００を示している。図１が示しているように、システム１００は、（ここでは、基地局、アクセスポイント（ＡＰ）、進化ノードＢ（ｅＮＢ）等としても呼ばれる）ノードＢ１１０を含むことができ、ノードＢ１１０は、１つ以上のユーザ機器ユニット（ＵＥ、ここでは、アクセス端末（ＡＴ）、移動体端末等としても呼ばれる）１２０と通信することができる。１つの例では、ノードＢ１１０は、ＵＥ１２０との１つ以上のダウンリンク（ＤＬ、フォワードリンク（ＦＬ）としても呼ばれる）通信に携わることができ、ＵＥ１２０は、ノードＢ１１０との１つ以上のアップリンク（ＵＬ、リバースリンク（ＲＬ）としても呼ばれる）通信に携わることができる。別の例では、進化ＵＭＴＳ（ユニバーサルモバイルテレコミュニケーションシステム）地上無線アクセスネットワーク（Ｅ−ＵＴＲＡＮ）や、または、その一部分（例えば、セル、セクター等）のような、ワイヤレス通信ネットワークに、ノードＢを関係させることができる。さらに、ノードＢ１１０は、ノードＢ１１０とＵＥ１２０との間の通信を調整するために、（示していない）システム制御装置や、または、これに類するもののような、１つ以上の他のネットワークエンティティとともに、動作することができる。
【００２５】
１つの側面にしたがうと、ノードＢ１１０および／またはノードＢ１１０に関係するワイヤレス通信ネットワークは、１組のシステム情報を利用することができ、１組のシステム情報は、ノードＢ１１０により担当されているすべてのＵＥ１２０に共通する、ノードＢ１１０の１つ以上の一般的なパラメータを含むことができる。このようなシステム情報の例は、一般化された無線リンク構成パラメータや、ネットワークポリシー（例えば、サポートされているＲＡＴ、帯域幅情報等）や、ネットワークに関係するデフォルトパラメータや、または、これらに類するものを含むことができる。１つの例では、定期的な予め規定されている間隔において、予め規定されている送信構造にしたがって、システム情報シグナリングモジュール１１６をおよび／またはノードＢ１１０の別の適切なコンポーネントを使用して、担当しているＵＥ１２０のそれぞれに対して、ノードＢ１１０により、システム情報をシグナリングすることができる。
【００２６】
特定の例として、システム情報の送信に利用される構造は、マスター情報ブロック（ＭＩＢ）および／または１組のシステム情報ブロック（ＳＩＢ）のような、１つ以上のブロックを含むことができる。１つの例では、システム獲得プロセスをブートストラップするために、ＭＩＢを受信するＵＥが、最低限要求される後処理によってＭＩＢを読み取ることができるように、固定の低レイヤフォーマットおよび変調のスキームを利用して、ＭＩＢを構成することができる。さらに、別の例では、１つ以上のシステム情報（ＳＩ）メッセージに対応するように、それぞれのＭＩＢおよび／またはＳＩＢを構成することができる。したがって、ＭＩＢは、第１のＳＩメッセージに対応することができ、ＳＩＢの第１のグループは、第２のＳＩメッセージに対応することができ、ＳＩＢの第２のグループは、第３のＳＩメッセージに対応することができる等である。さらなる特定の例では、１個のＭＩＢおよび１１個のＳＩＢのような、予め規定されている数のブロック内で、システム情報をシグナリングすることができる。しかしながら、１個のＭＩＢおよび１１個のＳＩＢより多い数あるいは１個のＭＩＢおよび１１個のＳＩＢより少ない数を含む、任意の数のＭＩＢおよび／またはＳＩＢを利用できることを正しく認識すべきである。さらに、そうではないと明示的に述べられていない限り、ここに添付されている特許請求の範囲は、何らかの特定のシステム情報シグナリング構造に限定されることを意図していないことを正しく認識すべきである。
【００２７】
別の側面にしたがうと、ノードＢ１１０に関係するシステム情報のうちのいくつかまたはすべてに対する変更が望まれる場合には、システム修正調整器１１２をおよび／またはノードＢ１１０の他の何らかの適切なコンポーネントを利用して、システム情報に対する適切な変更を促進することができる。例えば、システム修正調整器１１２は、ノードＢ１１０に関係するシステム情報が修正されることになるという表示を、独立してまたは修正インジケータモジュール１１４の支援によってのいずれかにより、発生させることができる。システム情報シグナリングモジュール１１６をおよび／またはノードＢ１１０の別の適切なコンポーネントを後続して利用して、所定の修正期間において、および／または、他の時間的間隔において、起ころうとしている修正の表示をそれぞれのＵＥ１２０にシグナリングすることができる。システム情報に対する近く起こる変更の表示の送信に続いて、ノードＢ１１０は、後に続く修正期間において、および／または、他の時間間隔において、システム情報の修正を促進することができる。
【００２８】
ＵＥ１２０において、ノードＢ１１０からの送信を受信すると、修正インジケータ解析モジュール１２２をおよび／またはＵＥ１２０の別の適切なコンポーネントを利用して、システム情報が修正されることになるという表示を送信が含んでいるか否かを決定する。このような表示が存在していると判明した場合には、構成更新モジュール１２４をおよび／またはＵＥ１２０の別のコンポーネントを利用して、表示の受信の後に続く予め定められている時間において、更新されたシステム情報を受信し、更新された情報を考慮して、ＵＥ１２０の構成を更新することができる。
【００２９】
付加的な側面にしたがうと、従来のワイヤレス通信ネットワークにより送信されるシステム情報が変更されるときに、システム情報に対する変更が生じることになるという一般的なインジケータのみを提供するように、このような従来のネットワークを構成することができる。例えば、（例えば、それぞれのＳＩＢ中に提供されているような、）システム情報の個々のエレメントのどれが修正されることになるかという表示がなく、（例えば、ＳＩＢ１中で運ばれる）単一の値タグのみを進めるように、ネットワークを構成することができる。結果として、ネットワークと通信しているそれぞれのＵＥは、修正によって実際に影響を受けるシステム情報であるか否かに関係なく、システム情報に対するすべての修正に対して、すべての関連システム情報（例えば、ＵＥの現在の無線リソース制御（ＲＲＣ）状態のために要求されるすべてのシステム情報）を再度獲得するように要求される。最悪のケースでは、マスター情報ブロック（ＭＩＢ）に対してのみ、および／または、頻繁に送信され、ＵＥにより容易に獲得できる、システム情報の比較的少ない数の他のユニットに対してのみ、修正が影響を及ぼす場合に、このような情報が変更されていないことをＵＥが発見するためだけに、ＵＥは、すべてのＳＩＢを含むおよび／またはシステム情報が提供されている他のユニットを含むシステム情報全体を読み取るように要求されるだろうということを正しく認識することができる。
【００３０】
したがって、この方法で、所定の修正によって情報が影響を受けることになるかどうかにかかわらず、各修正ごとに、すべてのシステム情報を再度獲得するように、ＵＥに要求することにより、修正されたシステム情報を獲得するそれぞれのＵＥは、電力効率の低下や、帯域幅効率の低下や、および／または、他の性能の低下を経験することがある。さらに、上述のような従来のインプリメンテーションを使用すると、ＳＩＢのコンテンツが変更されているか否かに関連する内部表示がいずれのＳＩＢにも提供されないので、何らかのＳＩＢに対するおよび／または他の何らかのシステム情報に対する変更が、何らかの所定のＳＩＢに対する変更があったか否かを決定する中で、すべてのＳＩＢのすべてのフィールドを調べるようにそれぞれのＵＥに強いることがあることを正しく認識することができる。したがって、上述した性能問題に加えて、このような要求も、付加的に、ＵＥの設計にインプリメンテーション負荷を課すことがある。
【００３１】
１つの側面にしたがうと、少なくとも上記の欠点を軽減させるために、ノードＢ１１０は、ここで説明するような１つ以上の改善されたエアインターフェースアプローチを利用して、新しいシステム情報に対応する、１つ以上のＳＩＢのおよび／または他のユニットの修正に続いて、それぞれのＵＥ１２０において、新しいシステム情報の獲得を簡略化およびアクセラレートすることができる。１つの例では、システム情報に対する変更に関連して、変更されることになるシステム情報の特定のエレメント（例えば、ブロック）に関連するインジケータを提供するように、修正インジケータモジュール１１４を構成することにより、ノードＢ１１０において、これらの目的および／または関連する目的を達成することができる。その後、システム情報自体の内で、システム情報に対する更新を示すために提供されるページングメッセージ内で、および／または、他の何らかの適切な方法で、システム情報シグナリングモジュール１１６により、これらのインジケータを送信することができる。後続する受信の際に、ＵＥ１２０は、修正インジケータ解析モジュール１２２をおよび／または他の何らかの適切な関係コンポーネントを利用して、どのシステム情報が変更されることになるかを、提供されたインジケータから決定することができる。この決定に基づいて、修正されることになるシステム情報のエレメントのみを選択的に受信および／または処理するように、構成更新モジュール１２４を構成することができる。
【００３２】
別の側面にしたがうと、システム情報修正の間にどの情報が更新されることになるかに関連する情報を、さまざまな方法で提供することができる。ここで説明する第１の例では、ビットマップを利用して、システム情報修正の間に更新されることになるそれぞれのシステム情報エレメントを識別することができる。ここで説明する第２の例では、それぞれのブロックのコンテンツが変更されているか否かを識別する内部値タグを含むように、システム情報のそれぞれのブロックまたはエレメントを構成することができる。これらの例は、下記でさらに詳細に説明する。しかしながら、上記の例は、限定のために提供されることを意図しておらず、そうではないと明示的に述べられていない限り、特許請求の範囲は、上記の例またはここで説明する他の何らかの特定の技術に限定されることを意図していないことを正しく認識すべきである。
【００３３】
さらなる側面にしたがうと、ノードＢ１１０は、プロセッサ１１８および／またはメモリ１１９を備えることができ、ならびに／あるいは、そうでないならば、ノードＢ１１０をプロセッサ１１８および／またはメモリ１１９に関係させることができ、これらを利用して、システム修正調整器１１２の、修正インジケータモジュール１１４の、システム情報シグナリングモジュール１１６の、機能性のうちのいくつかまたはすべてを、ならびに／あるいは、ここで説明するノードＢ１１０の他の何らかの側面を、実現することができる。同様に、ＵＥ１２０は、プロセッサ１２６および／またはメモリ１２８を備えることができ、これらを利用して、修正インジケータ解析モジュール１２２の、あるいは、構成更新モジュール１２４の、いくつかまたはすべての機能性を、ならびに／あるいは、ＵＥ１２０の他の何らかの適切な機能性を、実現することができる。
【００３４】
次に図２を参照すると、さまざまな側面にしたがった、システム情報のそれぞれの修正に対応するビットマップ２３４を発生させて処理するためのシステム２００を示しているブロックダイヤグラムが提供されている。図２が示しているように、システム２００は、ノードＢ２１０を備えることができ、ノードＢ２１０は、システム１００に関して一般的に上述した方法で、および／または、他の何らかの適切な方法で、ＵＥ２２０と通信することができる。システム２００でさらに示しているように、ノードＢ２１０は、システム情報シグナリング発生器２１６および／または他の何らかの適切なコンポーネントを介して、ＵＥ２２０にシステム情報２３０を送信することができる。１つの例では、システム情報２３０は、一般的に上述したように、例えば、ＭＩＢをおよび／または１つ以上のＳＩＢを含むことができるそれぞれの情報ブロック２３２から成ることができる。
【００３５】
１つの側面にしたがうと、システム情報２３０が修正されることになる場合には、システム修正調整器２１２が、システム情報に対する関連更新とともに、更新に関連するインジケータの発生を管理することができる。１つの例では、システム情報２３０が修正されるときに、システム修正調整器２１２はさらに、システム情報２３０に関連した修正ビットマップ２３４を提供することにより、どの特定の情報ブロック２３２が変更されているかを示すことができる。別の例では、ビットマップ発生器２１４および／または他の何らかの適切なエンティティにより、ビットマップ２３４を発生させることができ、システム情報シグナリング発生器２１６により、ビットマップ２３４をＵＥ２２０にシグナリングすることができる。
【００３６】
早期に到来する情報ブロック２３２（例えば、ＳＩＢ１）中にビットマップ２３４が含まれるように、システム情報２３０を構成することができる。付加的または代替的に、（例えば、ページング制御チャネル（ＰＣＣＨ）上で、および／または、別の適切な通信チャネル上で、）近く起こるシステム情報修正を示すページングメッセージで、ならびに／あるいは、他の何らかの適切な手段により、ビットマップ２３４を送信することができる。
【００３７】
さらなる側面にしたがうと、ＵＥ２２０は、受信したシステム情報２３０および／またはそれに関係する情報（例えば、関連するページングメッセージ）を解析して、システム情報２３０に対する変更が生じているか否かを決定することができる。システム情報修正が生じていることを検出すると、ＵＥ２２０は、ビットマップ解析器２２２および／または他の何らかの適切なコンポーネントを利用して、受信したシステム情報２３０内に提供されているビットマップ２３４を処理し、システム情報２３０内のどの情報ブロック２３２が変更されているかを決定することができる。最後に、ＵＥ２２０は、構成更新モジュール２２４を利用して、修正された情報ブロック２３２を読み取るおよび／または処理することができる。ＵＥ２２０の動作に関して、早期に到来する情報ブロック２３２内で、および／または、システム情報２３０に先行するページングメッセージ内で、ビットマップ２３４を提供することにより、ＵＥ２２０は、前記情報ブロック２３２のうちのいくつかまたはすべてを受信するより前に、修正されることになる特定の情報ブロック２３２に気づくことができることを正しく認識することができる。結果として、ＵＥは、システム情報２３０の変更されていないままの部分を読み取るおよび／または処理することに関係する、過剰な、帯域幅消費や、電力使用量や、計算量や、または、これらに類するものを避けることが可能になる。
【００３８】
ビットマップ２３４をどのように発生させて利用することができるかを示す例示的なメッセージフローを、図３中のダイヤグラム３００により示している。ダイヤグラム３００により示している例では、ＭＩＢと８個のＳＩＢ（ＳＩＢ１〜８）とを含む１組のシステム情報３１０が利用されている。しかしながら、代替的に、他の何らかの適切な方法で、システム情報３１０を構成することができることを正しく認識すべきである。ダイヤグラム３００によりさらに示しているように、早期に到来するＳＩＢ（例えば、ＳＩＢ１）中に、システム中で定義されている各ＳＩＢごとに１つのビットを含むビットマップが提供され、ここで、ＳＩＢｎが最新の修正で変更された場合に、ビットマップ中のビットｎは１にセットされ、または、そうでないならば、０にセットされる。ダイヤグラム３００で示している例では、９個のＳＩＢ（例えば、ＭＩＢとＳＩＢ１〜８）が提供されているので、システム情報２３０内に提供されているビットマップは、それぞれのＳＩＢに対応する９個のビットを含むことができる。
【００３９】
１つの例では、所定の修正期間において、および／または、別の適切な時間の間隔において、システム情報３１０中の１つ以上のＳＩＢに対する修正が生じることがある。修正が生じると、修正において変化する特定のＳＩＢを示すように、システム情報３１０内に提供するビットマップを構成することができる。したがって、ダイヤグラム３００により示している例では、ＳＩＢ３が変更されていて、および、他のすべてのＳＩＢは変更されていないことを示すために、ビットマップを「０００１０００００」の値にセットすることができる。後続して、構成したビットマップを、それぞれのＵＥに送信することができ、それぞれのＵＥは、ビットマップを利用して、修正に関係する性能を高めることができる。例えば、ダイヤグラム３００で示している変更は、ＳＩＢ３にのみ影響を及ぼすので、ビットマップを使用していない第１のＵＥ３２０は、９個のＳＩＢのうちのいずれかが変更されているかもしれないという可能性があるために、９個のＳＩＢをすべて読み取るように要求されるが、ビットマップを利用している第２のＵＥ３３０は、ビットマップ中の情報を信頼して、送信されることになるＳＩＢ４〜８を待つことなく、ＳＩＢ３を受信するとすぐに、そのシステム更新手順の完了を宣言することができ、それにより、変更されていないＳＩＢ２またはＳＩＢ４〜８を受信しないことを選ぶことができる。
【００４０】
簡略のため、ダイヤグラム３００では、ＳＩＢ４〜８を単一のボックスとして示しているが、特に、無線周波数（ＲＦ）状態および／または他の要因により、ＵＥが、ＳＩＢのうちの１つの受信に失敗し、別のＳＩＢサイクルを待つことを要求されるケースでは、ＳＩＢ４〜８を受信するのに要する時間が重要になることがあることを正しく認識することができる。したがって、システム情報３１０内に提供されているビットマップを信頼して、それぞれのＳＩＢを受信しないことを選択可能であることにより、システム情報の変更に関するＵＥの効率性を著しく増加させることができる。加えて、ＵＥ３３０は、ＳＩＢ２およびＳＩＢ４〜８に対してスケジューリングされている送信ウィンドウの間、その受信機の電源を切ることを選択できるという事実からも、ＵＥ３３０が、電力効率の増加を実現できることを正しく認識することができる。
【００４１】
さらに図３を参照すると、システム情報３１０に対する変更を示すために利用できるビットマップの特定の例を、ダイヤグラム３００は示しているが、さまざまな代替的な方法で、ダイヤグラム３００により示しているようなビットマップを実現できることを正しく認識すべきである。第１の代替的な例では、システム情報３１０を受信するＵＥが、ビットマップを含んでいるＳＩＢまでの、および、ビットマップを含んでいるＳＩＢを含む、各ＳＩＢを読み取るように要求されるだろうということを正しく認識することができるので、ビットマップを含んでいるＳＩＢまでの、および、ビットマップを含んでいるＳＩＢを含む、それぞれのＳＩＢに対するインジケータビットを省略することができる。したがって、ダイヤグラム３００で示している特定の例に関して、ＳＩＢ２〜８に対応するそれぞれのビットを含む７ビットのビットマップを利用することができる。
【００４２】
第２の代替的な例では、個々のＳＩＢに加えて、および／または、個々のＳＩＢの代わりに、ＳＩＢのグループに対応するビットを含むビットマップを提供することができる。したがって、例えば、１組のＳＩＢを利用して、それぞれのＳＩメッセージを形成する場合には、ＳＩＢごとのベースというよりむしろ、ＳＩごとのベースで、ビットマップを提供することができる。特定の非限定的な例として、ＳＩＢ３〜５が単一のＳＩメッセージに集められる場合には、ＳＩＢ３〜５のそれぞれに対する個々のビットというよりむしろ、ＳＩＢ３〜５に対応したＳＩメッセージに対応する１つのビットを提供するように、ビットマップを構成することができる。
【００４３】
第３の代替的な例では、提供されるビットマップ中に含まれているビットは、ＳＩＢそのものというよりむしろ、それぞれのＳＩＢのそれぞれの分類または特性に基づくことができる。特定の例として、ダイヤグラム３００により示しているビットマップに加えて、および／または、ダイヤグラム３００により示しているビットマップの代わりに、２ビットのビットマップを利用することができ、ここで、ビットマップ中の第１のビットは、接続モードで動作しているＵＥに影響を及ぼす１つ以上のＳＩＢ（例えば、ＭＩＢ、ＳＩＢ１、ＳＩＢ２、ＳＩＢ３、および／または、ＳＩＢ８）に変更が生じているか否かを示し、ビットマップ中の第２のビットは、アイドルモードで動作しているＵＥのみに影響を及ぼす１つ以上のＳＩＢに変更が生じているか否かを示す。この方法でビットマップを構成することにより、アイドルモードのＵＥは、ビットマップ中で示されている、ＳＩＢのセクションのみを受信して処理することを選択できる一方で、接続モードのＵＥは、ビットマップの第２のビットを無視し、変更が表示されると、ＳＩＢの第１のセクションのみを受信および／または処理できることを正しく認識することができる。別の例として、接続モードのＵＥに影響を及ぼさないそれぞれのＳＩＢを常に受信して処理するように、アイドルモードのＵＥは構成されているので、接続モードのＵＥに影響を及ぼすそれぞれのＳＩＢ（ＳＩＢ４〜７以外のいずれかのＳＩＢ）に変更が生じているか否かのみを示す１ビットのビットマップを利用することができる。付加的または代替的に、接続モードのＵＥの異なる部分集合に潜在的に影響を及ぼすそれぞれのＳＩＢに対応するように、それぞれのビットマップのビットを構成することができる。例えば、第１のビットを利用して、すべての接続モードのＵＥに影響を及ぼすＳＩＢ（例えば、ＳＩＢ１〜３）に対する修正を示すことができる一方で、第２のビットを利用して、無線アクセス技術（ＲＡＴ）間のハンドオーバーを実行する接続モードのＵＥに影響を及ぼすＳＩＢ（例えば、ＳＩＢ８）に対する修正を示すことができる。しかしながら、ビットマップ中に提供されているそれぞれのビットに対する基準として、任意の適切な分類が役立ち得ることを正しく認識すべきである。
【００４４】
別の側面にしたがうと、ダイヤグラム３００では、ＳＩＢ１内に提供されているものとしてビットマップを示しているが、システム情報３１０内の何らかの適切な位置において、および／または、システム情報３１０に関係する適切な位置において、システム情報３１０に関連する、いくつかのまたはすべてのビットマップ情報を提供できることを理解すべきである。第１の例示的なインプリメンテーションでは、システム情報３１０の初めにおいて通信されるＭＩＢ内に、関連ビットマップ情報の少なくとも一部分を提供することができる。したがって、上述の圧縮されたビットマップの例のうちの１つ以上にしたがって、減少されたビットマップをＭＩＢ中に提供することができる。付加的または代替的に、システム情報３１０内の、ＭＩＢと１つ以上の他の位置との間に、部分的なビットマップ情報を分散させることができる。
【００４５】
第２の例示的なインプリメンテーションでは、ビットマップおよび／またはビットマップの一部分を、より後のＳＩＢ（例えば、ＳＩＢ２、ＳＩＢ３等）に後回しにすることができ、これにより、システム情報３１０を受信するＵＥは、ビットマップを含む少なくとも１つのＳＩＢまでの、および、ビットマップを含む少なくとも１つのＳＩＢを含む、すべてのＳＩＢを読み取るように要求される。第３の例示的なインプリメンテーションでは、システム情報３１０に対する近く起こる変更を示す（例えば、ＰＣＣＨを通して、および／または、他の何らかの適切なチャネルを通して送信される）ページングメッセージ内で、システム情報３１０より前に、ビットマップを通信することができる。上記の例示的なインプリメンテーションに関して、前記インプリメンテーションは、ここでクレームされている主題事項の範囲を限定することを意図しておらず、そうではないと明示的に述べられていない限り、ここに添付されている特許請求の範囲は、何らかの特定のインプリメンテーションに限定されることを意図していないことを正しく認識すべきである。
【００４６】
次に図４を参照すると、さまざまな側面にしたがった、システム情報のそれぞれの部分４３２の現在の状態を示すそれぞれの値タグ４３４を発生させて処理するためのシステム４００のブロックダイヤグラムが示されている。図４が示しているように、システム４００は、ノードＢ４１０を含むことができ、ノードＢ４１０は、システム情報シグナリング発生器４１６を介して、および／または、システム３００に関して上述したものに類似する方法での他の適切な手段を介して、ＵＥ４２０に１組のシステム情報４３０を通信することができる。さらに、システム情報４３０は、システム情報３３０に類似する方法で、１組のブロック４３２（例えば、ＭＩＢおよび１組のＳＩＢ）から成ることができる。
【００４７】
１つの側面にしたがうと、システム情報４３０が変更されることになる場合には、システム修正調整器４１２は、一般的に上述したように、適切な修正を調整することができる。１つの例では、ノードＢ４１０はさらに、ブロックレベル値タグ発生器４１４を利用することができ、ブロックレベル値タグ発生器４１４は、それぞれのブロック４３２が変更されているか否かを示す、タグ４３４および／または他の情報を発生させることができ、これらは、（例えば、システム情報シグナリング発生器４１６により、）システム情報４３０のそれぞれのブロック４３２に提供されることになる。
【００４８】
このような表示が何も提供されない場合、システム情報４３０を受信したＵＥ４２０は、いくつかのケースでは、（例えば、すべてのフィールドの値を比較することにより、）それぞれのブロック４３２のコンテンツに対する変更があったか否かを各ブロック４３２ごとに自律的に決定するように要求されることがあることを正しく認識することができる。代替的に、ＵＥ４２０は、いくつかのケースでは、すべてのブロック４３２が変更されているかのようにふるまって、記憶しているすべてのコピーのコンテンツを上書きするように要求されるかもしれない。このことは、少数のブロック４３２のみが変更されているケースでは、ＵＥ４２０のインプリメンテーションに対する不必要な作業を表し、ひいては、結果としてＵＥ４２０における効率性の低下になることがあることを正しく認識することができる。したがって、この効率性の低下を軽減するために、内部値タグ４３４および／または類似する情報をシステム情報のそれぞれのブロック４３２中に提供するように、ノードＢ４１０を構成することができる。値タグ４３４に基づいて、値タグ解析器４２２および／またはＵＥ４２０の他の適切なコンポーネントは、特定のブロック４３２を受信する際に、そのブロック４３２のコンテンツが変更されていて、それゆえ、処理される必要があるか否かを決定することができる。この解析に基づいて、ＵＥ４２０に関係付けられている情報ブロック処理モジュール４２４は、ＵＥ４２０の内部に記憶されているデータ中に、変更されているブロック４３２を書き込むことができ、および／または、変更されていないと決定されたそれぞれのブロック４３２をひっそりと廃棄することができる。
【００４９】
１つの側面にしたがうと、内部値タグに基づいて、記憶しているシステム情報を更新するための例示的な手順を、図５中のダイヤグラム５００により示している。ダイヤグラム３００で示した例に類似する方法で、９個のＳＩＢ（ＭＩＢおよびＳＩＢ４〜８）を含む１組のシステム情報５１０を利用することができ、ここでは、ＳＩＢ３に対する修正がなされている。しかしながら、システム情報５１０に対する何らかの適切な修正を実行できることを正しく認識すべきである。１つの例では、それぞれの内部値タグを含むようにＳＩＢ１〜８を構成することができ、それぞれの内部値タグは、修正の前には、値ｔ１ないしｔ８を有している。ダイヤグラム５００では、内部値タグはＭＩＢから省略されているが、付加的または代替的に、ＭＩＢが内部値タグを含むことができることを正しく認識すべきである。さらに、何らかの適切な基準に基づいて、システム情報５１０内のすべてのまたはいくつかのＳＩＢに内部値タグを適用でき、あるいは、システム情報５１０内のＳＩＢに何ら内部値タグを適用しないこともあることを正しく認識すべきである。
【００５０】
ダイヤグラム５００でさらに示しているように、システム情報５１０に対する一般値タグを運ぶように、システム情報５１０内のＳＩＢ１および／または別の適切なエレメントを構成することができ、システム情報５１０に対する一般値タグは、修正の前に、値ｋを有している。１つの例では、システム情報５１０が修正される際に、一般値タグをｋ＋１に進めることができ、ＳＩＢ３に対する内部値タグをｔ３＋１に進めることができ、その他のタグは変更しないでおくことができる。後続して、ＵＥ受信スケジュール５２０により示しているように、ＵＥは、システム情報５１０に対応するそれぞれのＳＩＢを受信することができ、システム情報５１０に対応するそれぞれのＳＩＢには、（値タグを持たない）ＭＩＢ、（一般値タグとＳＩＢ１自体の内部値タグとを持つ）ＳＩＢ１、および／または、（ＳＩＢ２〜８の対応する内部値タグを持つ）後続するＳＩＢ２〜８が含まれる。それぞれのＳＩＢを受信すると、ＵＥは、書き込み５３０の間に示しているように、ＭＩＢを内部記憶装置に書き込むことができる。対照的に、ＳＩＢ１、ＳＩＢ２、および、ＳＩＢ４〜８のコンテンツは変更されていないので、ＵＥは、ＳＩＢに提供されているそれぞれの値タグから、この情報を推測して、それらを記憶しないことを選択できることに気がつくことができる。したがって、書き込み５３０で示しているように、ＳＩＢ３に対してのみ付加的な記憶を実行することができ、ＳＩＢ３の値タグは、以前のバージョンから変更される。書き込み５３０が完了すると、ＵＥの内部記憶装置５４０は、以前に記憶したＳＩＢ１、ＳＩＢ２、および、ＳＩＢ４〜８とともに、新しく記憶したＭＩＢおよびＳＩＢ３を含むことができる。
【００５１】
ダイヤグラム５００により示している１つの例では、一般値タグがＳＩＢ１で運ばれる場合においてさえ、一般値タグに対する変更によりＳＩＢ１の内部値タグが影響を受けないように、ＳＩＢ１の内部値タグを構成することができる。したがって、一般値タグは、ＳＩＢ１自体に関係するというよりむしろ、ＳＩＢ１と同じＲＲＣメッセージ中の別々のデータのブロックに関係するスケジューリングブロックに、関係するものとして考えることができる。代替的に、ＵＥが、ＳＩＢ１の内部表現中に内部値タグを記憶するように構成されている場合には、ＳＩＢ１は、いくつかのケースでは、システム情報５１０に対する何らかの変更があった際に、変更されるものとして考えることができる。したがって、何らかのシステム情報修正において、ＳＩＢ１に対する内部値タグをインクリメントすることができる。代替的に、ＵＥは、ＵＥが記憶しているＳＩＢ１のコピーを更新するように常に要求されるという理解によって、ＳＩＢ１に対する値タグを省略することができる。同様に、さまざまな基準に基づいて、システム情報５１０内の１つ以上の他のＳＩＢから、内部値タグを省略することができる。例えば、ＳＩＢに値タグを追加することに関係するオーバーヘッドが、ＳＩＢを記憶しないことをＵＥが選択可能になるという有用性よりも重きをなすと決定されると、ＵＥは、毎システム情報修正ごとにＳＩＢを記憶するように要求されるので、所定のＳＩＢから内部値タグを省略することができる。
【００５２】
ここで、図６〜図１１を参照すると、ここで述べるさまざまな側面にしたがって実行することができる方法論を示している。説明を簡略化する目的のために、一連の動作として方法論を示し、説明しているが、いくつかの動作は、１つ以上の側面にしたがって、ここで示し、説明しているのとは異なる順序でおよび／または他の動作と並行して起こるので、方法論は、動作の順序により限定されないことを理解し、正しく認識すべきである。例えば、代替的に、状態ダイヤグラムのような、一連の相互関係のある状態またはイベントとして方法論を表すことができることを、当業者は理解し、正しく認識するだろう。さらに、すべての示している動作が、１つ以上の側面にしたがって、方法論を実現するように要求されるわけではない。
【００５３】
図６を参照すると、示されているのは、ワイヤレス通信環境において、システム情報修正に関係する情報の受信および処理を調整するための方法論６００である。例えば、ＵＥ（例えば、ＵＥ１２０）および／または他の何らかの適切なネットワークデバイスにより、方法論６００を実行できることを正しく認識すべきである。方法論６００は、ブロック６０２において開始し、ここで、複数の情報ブロック（ＭＩＢおよび／またはＳＩＢ）から成る１組のシステム情報が識別される。次に、ブロック６０４において、１つ以上の情報ブロック内で、または、システム情報修正に関係するページングメッセージ内で、（例えば、ビットマップや値タグ等を介して、）システム情報修正の間に変更されている１つ以上の情報ブロックを識別する情報を（例えば、修正インジケータ解析モジュール１２２により）受信する。最後に、ブロック６０６において、ブロック６０４において受信した情報にしたがって、変更されていないとして識別された少なくとも１つの情報ブロックに対する読み取りおよび／または処理を省略するような選択的な方法で、（例えば、構成更新モジュール１２４により、）それぞれの情報ブロックを読み取るおよび／または処理する。
【００５４】
図７を見ると、ビットマップ（例えば、ビットマップ２３４）を使用して、修正されたシステム情報の受信および処理を調整するための方法論７００が示されている。例えば、ワイヤレス通信システム中の、移動体端末および／または他の何らかの適切なエンティティにより、方法論７００を実行することができる。方法論７００は、ブロック７０２において開始し、ここで、複数の情報ブロック（例えば、ブロック２３２）から成る１組のシステム情報が識別される。次に、ブロック７０４において、所定の情報ブロック内で、または、システム情報の修正に関係するページングメッセージ内で、ビットマップを受信する。１つの例では、それぞれの対応する情報ブロックおよび／または（例えば、ＳＩメッセージや、アイドルモードのまたは接続モードのユーザ等に対応する）情報ブロックのグループが、システム情報修正の間に変更されているか否かを示すように構成されている１つ以上のビットを、ビットマップは含むことができる。ブロック７０４において、その中でビットマップが受信された情報ブロックに続き、（例えば、ビットマップ解析器２２２により決定されたように、）変更されたとしてビットマップにより示されている、（例えば、構成更新モジュール２２４を使用して、）１つ以上の情報ブロックおよび／または情報ブロックのグループを選択的に読み取ることにより、ブロック７０６において、方法論７００を終わりにすることができる。
【００５５】
図８は、内部値タグ（例えば、タグ４３４）を使用して、修正されたシステム情報の受信および処理を調整するための方法論８００を示している。例えば、ＵＥおよび／または他の何らかの適切なネットワークデバイスにより、方法論８００を実行することができる。方法論８００は、ブロック８０２において開始し、ここで、ワイヤレス通信ネットワークのそれぞれのパラメータを提供する１組のＳＩＢ（例えば、ブロック４３２中に含まれている、ＭＩＢおよび／またはＳＩＢ）を受信する。次に、ブロック８０４において、ブロック８０２において受信したそれぞれのＳＩＢ内の内部値タグを識別するための試みがなされる。
【００５６】
方法論８００は、その後、ブロック８０６に進むことができ、ここで、ブロック８０４において識別された値タグに少なくとも部分的に基づいて、ブロック８０２において受信したそれぞれのＳＩＢが、対応するローカルに記憶しているバージョンのＳＩＢから変更されているか否かを（例えば、値タグ解析器４２２を使用して）決定する。その後、（例えば、情報ブロック処理モジュール４２４を使用して、）ブロック８０８および／またはブロック８１０において説明する動作を実行することにより、方法論８００を終わりにすることができる。さらに詳細には、ブロック８０８において、ブロック８０４において識別された内部値タグに基づいて、変更されていることが決定された１つ以上のＳＩＢがおよび／または内部値タグが提供されていない１つ以上のＳＩＢが記憶され、そして、ブロック８１０において、ブロック８０４において識別された内部値タグに基づいて、変更されていないことが決定された１つ以上のＳＩＢが廃棄される。
【００５７】
次に図９を参照すると、ワイヤレス通信環境におけるシステム情報修正を管理するための方法論９００が示されている。例えば、アクセスポイント（例えば、ノードＢ１１０）および／または他の何らかの適切なネットワークデバイスにより、方法論９００を実行できることを正しく認識すべきである。方法論９００は、ブロック９０２において開始し、ここで、システム情報を運ぶように構成されている１組の情報エレメント（例えば、ＭＩＢおよび／またはＳＩＢ）が識別される。次に、ブロック９０４において、システム情報修正の間に変更されることになる１つ以上の情報エレメントが（例えば、システム修正調整器１１２により）識別される。方法論９００は、その後、ブロック９０６に進み、ここで、ブロック９０４において識別されたように変更されることになる情報エレメントに関連する情報を伝える、１組のインジケータを（例えば、修正インジケータモジュール１１４により）発生させる。後続して、ブロック９０８において方法論９００を終わりにすることができ、ここで、ブロック９０６において発生させた１組のインジケータが、１つ以上の情報エレメント内で、および／または、システム情報修正に関係するページングメッセージ内で、（例えば、システム情報シグナリングモジュール１１６により）送信される。
【００５８】
図１０を見ると、ビットマップ構造（例えば、ビットマップ２３４）を使用して、システム情報修正を管理するための方法論１０００が示されている。例えば、ワイヤレス通信システム中の、ノードＢおよび／または他の何らかの適切なエンティティにより、方法論１０００を実行することができる。方法論１０００は、ブロック１００２において開始し、ここで、システム情報として送信されることになる１組の情報ブロック（例えば、ブロック２３２）が識別される。次に、ブロック１００４において、ブロック１００２において識別された情報ブロックのうちの少なくとも１つの情報ブロック中に、更新された情報を少なくとも部分的に提供することにより、（例えば、システム修正調整器２１２により）システム情報修正を開始する。ブロック１００６において、ブロック１００２において識別されたブロックのうちのそれぞれの情報ブロックおよび／または（例えば、ＳＩメッセージ、アイドルモードのまたは接続モードのユーザ等に対応する）情報ブロックのグループが、ブロック１００４において開始された修正において更新されたか否かをそれぞれ示すビットマップを、（例えば、ビットマップ発生器２１４および／またはシステム情報シグナリング発生器２１６を使用して、）発生させることができる。最後に、ブロック１００８において方法論１０００を終わりにすることができ、ここで、ブロック１００６において発生されたビットマップは、１つ以上の情報ブロック内で、および／または、ブロック１００４において開始された修正を表すために使用されるページングメッセージ内で、送信される。
【００５９】
図１１は、それぞれの内部値タグ（例えば、タグ４３４）を使用して、システム情報修正を管理するための方法論１１００を示している。例えば、基地局および／または他の何らかの適切なネットワークデバイスにより、方法論１１００を実行することができる。方法論１１００は、ブロック１１０２において開始し、ここで、それぞれのＳＩＢ（例えば、ブロック４３２として提供されているＭＩＢおよび／またはＳＩＢ）から成る１組のシステム情報が識別される。次に、ブロック１１０４において、（例えば、ブロックレベル値タグ発生器４１４および／またはシステム情報シグナリング発生器４１６により、）それぞれの値タグを含むように、ブロック１１０２において識別されたＳＩＢの少なくとも一部分を構成する。その後、方法論１１００は、ブロック１１０６に進むことができ、ここで、１つ以上のＳＩＢに提供されている情報が、（例えば、システム修正調整器４１２を使用して）更新される。応答して、ブロック１１０８において、ブロック１１０６において更新されたＳＩＢに関係付けられているそれぞれの値タグがインクリメントされる。その後、ブロック１１１０において方法論１１００を終わりにすることができ、ここで、ブロック１１０６において更新されたＳＩＢと、ブロック１１０８においてインクリメントされたようなそれらの値タグが、システム情報送信で送信される。
【００６０】
図１２は、ワイヤレス通信システムに関係する情報に対する更新の調整および管理を促進する装置１２００を示している。機能的なブロックを含むものとして装置１２００を表し、機能的なブロックは、プロセッサや、ソフトウェアや、または、これらの組み合わせ（例えば、ファームウェア）により実現される機能を表す、機能的なブロックとすることができることを正しく認識すべきである。ワイヤレス端末（例えば、ＵＥ１２０）および／または他の何らかの適切なネットワークデバイスにより、装置１２００を実現することができ、装置１２００は、１組のシステム情報ブロックを記憶するモジュール１２０２と、後続する組の情報ブロックに関連する情報を検出するモジュール１２０４と、それらがそれぞれ記憶しているバージョンから更新されている１つ以上の情報ブロックを特定する１つ以上のインジケータを、後続する組の情報ブロック中でまたは関連するページングメッセージ中で受信するモジュール１２０６と、受信したインジケータに基づいて、更新された情報ブロックを選択的に読み取るおよび／または処理するモジュール１２０８とを備えることができる。
【００６１】
図１３は、ワイヤレス通信システムに関係する情報に対する更新の調整および管理を促進する別の装置１３００を示している。機能的なブロックを含むものとして装置１３００を表し、機能的なブロックは、プロセッサや、ソフトウェアや、または、これらの組み合わせ（例えば、ファームウェア）により実現される機能を表す、機能的なブロックとすることができる。アクセスポイント（例えば、ノードＢ１１０）および／または他の何らかの適切なネットワークデバイスにより、装置１３００を実現することができ、装置１３００は、システム情報を運ぶように１組のブロックを構成するモジュール１３０２と、少なくとも１つの構成されているブロック中で運ばれる情報を更新するモジュール１３０４と、情報が更新されたそれぞれのブロックを示す情報を発生させるモジュール１３０６と、１つ以上のブロック内で、または、１つ以上のブロックに関係するページングメッセージ内で、発生させた情報を送信するモジュール１３０８とを備えることができる。
【００６２】
図１４は、ここで説明する機能性のさまざまな側面を実現するために利用できるシステム１４００のブロックダイヤグラムである。１つの例では、システム１４００は、基地局またはノードＢ１４０２を含んでいる。示しているように、ノードＢ１４０２は、１つ以上の受信（Ｒｘ）アンテナ１４０６を介して１つ以上のＵＥ１４０４から信号を受信し、１つ以上の送信（Ｔｘ）アンテナ１４０８を介して１つ以上のＵＥ１４０４に送信することができる。付加的に、ノードＢ１４０２は、受信アンテナ１４０６から情報を受け取る受信機１４１０を備えることができる。１つの例では、受信機１４１０は、受け取った情報を復調する復調器（Ｄｅｍｏｄ）１４１２に動作可能に関係付けられていてもよい。復調されたシンボルは、その後、プロセッサ１４１４により解析することができる。プロセッサ１４１４は、メモリ１４１６に結合することができ、メモリ１４１６は、コードクラスタ、アクセス端末割り当て、それに関連するルックアップテーブル、一意的なスクランブリングシーケンス、に関連する情報を、および／または、他の適切なタイプの情報を記憶することができる。付加的に、ノードＢ１４０２は、プロセッサ１４１４を用いて、方法論９００〜１１００および／または他の類似する適切な方法論を実行することができる。１つの例では、ノードＢ１４０２はまた、変調器１４１８を備えることができ、変調器１４１８は、送信アンテナ１４０８を通しての送信機１４２０による送信のために、信号を多重化することができる。
【００６３】
図１５は、ここで説明する機能性のさまざまな側面を実現するために利用できる別のシステム１５００のブロックダイヤグラムである。１つの例では、システム１５００は、移動体端末１５０２を含んでいる。示しているように、移動体端末１５０２は、１つ以上のアンテナ１５０８を介して、１つ以上の基地局１５０４から信号を受信し、１つ以上の基地局１５０４に送信することができる。付加的に、移動体端末１５０２は、アンテナ１５０８から情報を受け取る受信機１５１０を備えることができる。１つの例では、受信機１５１０は、受け取った情報を復調する復調器（Ｄｅｍｏｄ）１５１２に動作可能に関係付けられていてもよい。復調されたシンボルは、その後、プロセッサ１５１４により解析することができる。プロセッサ１５１４は、メモリ１５１６に結合することができ、メモリ１５１６は、移動体端末１５０２に関連するデータおよび／またはプログラムコードを記憶することができる。付加的に、移動体端末１５０２は、プロセッサ１５１４を用いて、方法論６００〜８００および／または他の類似する適切な方法論を実行することができる。移動体端末１５０２はまた、変調器１５１８を備えることができ、変調器１５１８は、アンテナ１５０８を通しての送信機１５２０による送信のために、信号を多重化することができる。
【００６４】
ここで図１６を参照すると、さまざまな側面にしたがった、ワイヤレス多元接続通信システムの例が提供されている。１つの例では、アクセスポイント１６００（ＡＰ）は、複数のアンテナグループを備えている。図１６で示しているように、１つのアンテナグループは、アンテナ１６０４とアンテナ１６０６とを含み、別のアンテナグループは、アンテナ１６０８とアンテナ１６１０とを含み、また別のアンテナグループは、アンテナ１６１２とアンテナ１６１４とを含んでいる。図１６では、各アンテナグループに対して２つのアンテナのみが示されているが、各アンテナグループに対して、より多くのアンテナまたはより少ないアンテナを利用できることを正しく認識すべきである。別の例では、アクセス端末１６１６は、アンテナ１６１２およびアンテナ１６１４と通信することができ、アンテナ１６１２およびアンテナ１６１４は、フォワードリンク１６２０を通してアクセス端末１６１６に情報を送信し、リバースリンク１６１８を通してアクセス端末１６１６から情報を受信する。付加的におよび／または代替的に、アクセス端末１６２２は、アンテナ１６０６およびアンテナ１６０８と通信することができ、アンテナ１６０６およびアンテナ１６０８は、フォワードリンク１６２６を通してアクセス端末１６２２に情報を送信し、リバースリンク１６２４を通してアクセス端末１６２２から情報を受信する。周波数分割デュプレクスシステムでは、通信リンク１６１８、１６２０、１６２４、および、１６２６は、通信に対して異なる周波数を使用することができる。例えば、フォワードリンク１６２０は、リバースリンク１６１８により使用されている周波数とは異なる周波数を使用してもよい。
【００６５】
アンテナの各グループおよび／またはアンテナの各グループが通信するように設計されているエリアは、アクセスポイントのセクターとして呼ぶことができる。１つの側面にしたがうと、アンテナグループは、アクセスポイント１６００によりカバーされているエリアのセクター中で、アクセス端末と通信するように設計することができる。フォワードリンク１６２０および１６２６を通しての通信では、アクセスポイント１６００の送信アンテナは、異なるアクセス端末１６１６および１６２２に対するフォワードリンクの信号対ノイズ比を改善するために、ビーム形成を利用することができる。また、ビーム形成を使用して、そのカバレッジ中にランダムに散っているアクセス端末に送信するアクセスポイントは、単一のアンテナを通して、そのすべてのアクセス端末に送信するアクセスポイントに比べて、隣接するセル中のアクセス端末に対して、より小さい干渉を生じさせる。
【００６６】
例えばアクセスポイント１６００のようなアクセスポイントは、端末との通信に対して使用される固定局とすることができ、基地局、ｅＮＢ、アクセスネットワーク、および／または、他の適切な専門用語としても呼ぶことができる。加えて、例えばアクセス端末１６１６または１６２２のようなアクセス端末は、移動体端末、ユーザ機器、ワイヤレス通信デバイス、端末、ワイヤレス端末、および／または、他の適切な専門用語としても呼ぶことができる。
【００６７】
ここで、図１７を参照すると、ここで説明するさまざまな側面が機能することができる例示的なワイヤレス通信システム１７００を示すブロックダイヤグラムが提供されている。１つの例では、システム１７００は、送信機システム１７１０と受信機システム１７５０とを備える複数入力複数出力（ＭＩＭＯ）システムである。しかしながら、送信機システム１７１０および／または受信機システム１７５０は、例えば、（例えば基地局上の）複数の送信アンテナが、単一のアンテナデバイス（例えば、移動局）に１つ以上のシンボルストリームを送信することができる複数入力単一出力システムにも適用できることを正しく認識すべきである。付加的に、ここで説明する送信機システム１７１０および／または受信機システム１７５０の側面は、単一出力単一入力アンテナシステムに関連して利用できることを正しく認識すべきである。
【００６８】
１つの側面にしたがうと、送信機システム１７１０において、多数のデータストリームに対するトラフィックデータが、データソース１７１２から送信（ＴＸ）データプロセッサ１７１４へと提供される。１つの例では、その後、それぞれの送信アンテナ１７２４を介して、各データストリームを送信することができる。付加的に、ＴＸデータプロセッサ１７１４は、コード化されたデータを提供するために、各それぞれのデータストリームに対して選択された特定のコーディングスキームに基づいて、各データストリームに対するトラフィックデータをフォーマットでき、エンコードでき、および、インターリーブできる。１つの例では、各データストリームに対してコード化されたデータは、その後、ＯＦＤＭ技術を使用して、パイロットデータと多重化することができる。パイロットデータは、例えば、既知の方法で処理される既知のデータパターンとすることができる。さらに、受信機システム１７５０においてパイロットデータを使用して、チャネル応答を推定することができる。送信機システム１７１０に戻ると、各データストリームに対する多重化されたパイロットおよびコード化データは、変調シンボルを提供するために、それぞれのデータストリームに対して選択された特定の変調スキーム（例えば、ＢＰＳＫ、ＱＳＰＫ、Ｍ−ＰＳＫ、または、Ｍ−ＱＡＭ）に基づいて、変調（すなわち、シンボルマッピング）することができる。１つの例では、各データストリームに対するデータレート、コーディング、および、変調は、プロセッサ１７３０上で実行される命令および／またはプロセッサ１７３０により提供される命令により、決定することができる。
【００６９】
次に、すべてのデータストリームに対する変調シンボルを、ＴＸプロセッサ１７２０に提供することができ、ＴＸプロセッサ１７２０は、（例えば、ＯＦＤＭに対する）変調シンボルをさらに処理することができる。その後、ＴＸ ＭＩＭＯプロセッサ１７２０は、ＮT台のトランシーバ１７２２ａないし１７２２ｔにＮT個の変調シンボルストリームを提供することができる。１つの例では、各トランシーバ１７２２は、それぞれのシンボルストリームを受け取って処理し、１つ以上のアナログ信号を提供することができる。その後、各トランシーバ１７２２は、アナログ信号を調整し（例えば、増幅し、フィルタリングし、および、アップコンバートし）、ＭＩＭＯチャネルを通しての送信のための適切な変調信号を提供できる。したがって、その後、トランシーバ１７２２ａないし１７２２ｔからのＮT個の変調信号を、ＮT本のアンテナ１７２４ａないし１７２４ｔからそれぞれ送信することができる。
【００７０】
別の側面にしたがうと、送信された変調信号は、ＮR本のアンテナ１７５２ａないし１７５２ｒにより受信機システム１７５０において受信することができる。各アンテナ１７５２からの受信信号は、その後、それぞれのトランシーバ１７５４に提供することができる。１つの例では、各トランシーバ１７５４は、それぞれの受信信号を調整し（例えば、フィルタリングし、増幅し、および、ダウンコンバートし）、調整した信号をデジタル化してサンプルを提供し、その後、サンプルを処理して、対応する「受信した」シンボルストリームを提供する。その後、ＲＸ ＭＩＭＯ／データプロセッサ１７６０が、ＮR個の受信したシンボルストリームをＮR台のトランシーバ１７５４から受け取って、特定の受信機処理技術に基づいて処理し、ＮT個の「検出した」シンボルストリームを提供する。１つの例では、各検出したシンボルストリームは、対応するデータストリームに対する送信された変調シンボルの推定である、シンボルを含むことができる。その後、ＲＸプロセッサ１７６０が、各検出したシンボルストリームを復調し、デインターリーブし、および、デコードすることにより、各シンボルストリームを少なくとも部分的に処理して、対応するデータストリームに対するトラフィックデータを復元できる。したがって、ＲＸプロセッサ１７６０による処理は、送信機システム１７１０においてＴＸ ＭＩＭＯプロセッサ１７２０およびＴＸデータプロセッサ１７１６により実行される処理と相補的とすることができる。ＲＸプロセッサ１７６０は、処理したシンボルストリームをデータシンク１７６４に付加的に提供することができる。
【００７１】
１つの側面にしたがうと、ＲＸプロセッサ１７６０により発生させたチャネル応答推定を使用して、受信機における空間／時間の処理を実行し、電力レベルを調節し、変調レートまたは変調スキームを変更し、および／または、他の適切なアクションを実行することができる。付加的に、ＲＸプロセッサ１７６０はさらに、例えば、検出したシンボルストリームの信号対ノイズおよび干渉比（ＳＮＲ）のようなチャネル特性を推定することができる。その後、ＲＸプロセッサ１７６０は、推定したチャネル特性をプロセッサ１７７０に提供することができる。１つの例では、ＲＸプロセッサ１７６０および／またはプロセッサ１７７０はさらに、システムに対する「動作」ＳＮＲの推定を導出することができる。その後、プロセッサ１７７０は、チャネル状態情報（ＣＳＩ）を提供し、チャネル状態情報（ＣＳＩ）は、通信リンクおよび／または受信データストリームに関する情報を含むことができる。この情報は、例えば、動作ＳＮＲを含むことができる。ＣＳＩは、その後、ＴＸデータプロセッサ１７１８により処理することができ、変調器１７８０により変調することができ、トランシーバ１７５４ａないし１７５４ｒにより調整することができ、および、送信機システム１７１０に返信することができる。加えて、受信機システム１７５０におけるデータソース１７１６は、ＴＸデータプロセッサ１７１８により処理されることになる付加的なデータを提供することができる。
【００７２】
送信機システム１７１０に戻ると、その後、受信機システム１７５０からの変調信号を、アンテナ１７２４により受信し、トランシーバ１７２２により調整し、復調器１７４０により復調し、および、ＲＸデータプロセッサ１７４２により処理して、受信機１７５０により報告されたＣＳＩを復元することができる。１つの例では、その後、報告されたＣＳＩは、プロセッサ１７３０に提供され、１つ以上のデータストリームに対して使用されることになる、データレートとともに、コーディングスキームおよび変調スキームを決定するために使用できる。その後、量子化および／または受信機システム１７５０に対する後の送信における使用のために、決定したコーディングスキームおよび変調スキームをトランシーバ１７２２に提供することができる。付加的および／または代替的に、報告されたＣＳＩをプロセッサ１７３０により使用して、ＴＸデータプロセッサ１７１４およびＴＸ ＭＩＭＯプロセッサ１７２０に対するさまざまな制御を発生させることができる。別の例では、ＲＸデータプロセッサ１７４２により処理されたＣＳＩおよび／または他の情報をデータシンク１７４４に提供することができる。
【００７３】
１つの例では、送信機システム１７１０におけるプロセッサ１７３０と受信機システム１７５０におけるプロセッサ１７７０とが、それらそれぞれのシステムにおける動作を命令する。付加的に、送信機システム１７１０におけるメモリ１７３２と受信機システム１７５０におけるメモリ１７７２とは、プロセッサ１７３０とプロセッサ１７７０とによりそれぞれ使用されるプログラムコードおよびデータのための記憶装置を提供することができる。さらに、受信機システム１７５０において、さまざまな処理技術を使用して、ＮR個の受信信号を処理し、ＮT個の送信シンボルストリームを検出することができる。これらの受信機処理技術は、空間および時空の受信機処理技術および／または「連続的なヌリング／等化および干渉キャンセル」受信機処理技術を含むことができ、空間および時空の受信機処理技術は、等化技術としても呼ぶことができ、「連続的なヌリング／等化および干渉キャンセル」受信機処理技術は、「連続的な干渉キャンセル」受信機処理技術または「連続的なキャンセル」受信機処理技術としても呼ぶことができる。
【００７４】
ここで説明した側面は、ハードウェアや、ソフトウェアや、ファームウェアや、ミドルウェアや、マイクロコードや、または、これらの何らかの組み合わせにより実現できることを理解すべきである。システムおよび／または方法が、ソフトウェアや、ファームウェアや、ミドルウェアまたはマイクロコードや、プログラムコードまたはコードセグメントで実現されるときに、記憶装置コンポーネントのような機械読取可能媒体にこれらを記憶することができる。コードセグメントは、手順や、機能や、サブプログラムや、プログラムや、ルーチンや、サブルーチンや、モジュールや、ソフトウェアパッケージや、クラスや、あるいは、命令、データ構造、または、プログラムステートメントの何らかの組み合わせを表すことができる。コードセグメントは、情報や、データや、引数や、パラメータや、または、メモリコンテンツを、渡すおよび／または受け取ることにより、別のコードセグメントまたはハードウェア回路に結合することができる。メモリ共有、メッセージパッシング、トークンパッシング、ネットワーク送信等を含む何らかの適切な手段を使用して、情報、引数、パラメータ、データ等を渡し、転送し、または、送信することができる。
【００７５】
ソフトウェアのインプリメンテーションのために、ここで説明した機能を実行するモジュール（例えば、手順、関数等）により、ここで説明した技術を実現することができる。ソフトウェアコードは、メモリユニット中に記憶されて、プロセッサによって実行されてもよい。メモリユニットが、技術的に知られているようなさまざまな手段を介して、プロセッサに通信可能に結合することができる場合に、メモリユニットは、プロセッサの内部またはプロセッサの外部で実現することができる。
【００７６】
先に説明していることは、１つ以上の側面の例を含んでいる。もちろん、先に言及した側面を説明する目的のためにコンポーネントまたは方法論のすべての考えられる組み合わせを説明することは不可能であるが、当業者は、さまざまな側面の多くのさらなる組み合わせおよび置換が可能であることを認識できる。したがって、説明した側面は、添付の特許請求の範囲の精神および範囲内にあるすべてのこのような変更、修正およびバリエーションを含むことを意図している。さらに、用語「含む」が詳細な説明または特許請求の範囲のいずれかで使用される限り、このような用語は、請求項中で移行語として用いられるときに「具備する」が解釈されるように、用語「具備する」に類似する方法で包括的であることが意図されている。さらに、詳細な説明または特許請求の範囲のいずれかで使用される用語「または（あるいは）」は、「非排他的な、または（あるいは）」であることを意味する。
【図１】
2011525783.tif 000003
【図２】
2011525783.tif 000004
【図３】
2011525783.tif 000005
【図４】
2011525783.tif 000006
【図５】
2011525783.tif 000007
【図６】
2011525783.tif 000008
【図７】
2011525783.tif 000009
【図８】
2011525783.tif 000010
【図９】
2011525783.tif 000011
【図１０】
2011525783.tif 000012
【図１１】
2011525783.tif 000013
【図１２】
2011525783.tif 000014
【図１３】
2011525783.tif 000015
【図１４】
2011525783.tif 000016
【図１５】
2011525783.tif 000017
【図１６】
2011525783.tif 000018
【図１７】
2011525783.tif 000019
【国際調査報告】
2011525783.tif 000020
2011525783.tif 000021